【手続補正書】
【提出日】平成19年7月27日(2007.7.27)
【手続補正１】
【補正対象書類名】明細書
【補正対象項目名】発明の名称
【補正方法】変更
【補正の内容】
【発明の名称】映像式パチンコ機及び遊技プログラム
【手続補正２】
【補正対象書類名】明細書
【補正対象項目名】特許請求の範囲
【補正方法】変更
【補正の内容】
【特許請求の範囲】
【請求項１】
電気的映像部材で、映像球通過検出部と、遊技球が入球し易い状態と入球し難い状態とに開閉する映像可動片を有する始動口とを含む遊技領域を有する遊技画像を映し出し、映像遊技球を前記遊技画像に発射して遊技を進行させる制御を行う制御部を備えた映像式パチンコ機であって、
前記制御部は、
前記映像球通過検出部を映像遊技球が通過したことを検知する機能と、
前記映像球通過検出部を映像遊技球が通過したことを検知したことを条件として、前記映像可動片を開放する機能と、
前記映像球通過検出部を映像遊技球が通過したことを検知したときに、前記遊技領域内の前記映像遊技球の形状を変更して、変更後の映像遊技球の姿勢に応じて前記始動口への映像遊技球の入賞確率を変化させる機能と、
を有することを特徴とする映像式パチンコ機。
【請求項２】
前記制御部は、
前記始動口に前記映像遊技球が入球した場合、前記遊技画像に複数の識別情報画像を変動表示させてその後に変動表示を停止し、複数の識別情報画像が所定の組合せで表示停止したときは遊技者にとって有利な大当たり遊技状態へ移行させる可変表示ゲームを行う機能を、さらに有することを特徴とする請求項１記載の映像式パチンコ機。
【請求項３】
制御部に、
電気的映像部材で、映像球通過検出部と、遊技球が入球し易い状態と入球し難い状態とに開閉する映像可動片を有する始動口とを含む遊技領域を有する遊技画像を映し出す機能と、
前記映像遊技球を前記遊技画像に発射して遊技を進行させる機能と、
前記映像球通過検出部を映像遊技球が通過したことを検知したことを条件として、前記映像可動片を開放するとともに、前記遊技領域内の前記映像遊技球の形状を変更して、変更後の映像遊技球の姿勢に応じて前記映像始動口への映像遊技球の入賞確率を変化させる機能と、
を実現させるための遊技プログラム。
【手続補正３】
【補正対象書類名】明細書
【補正対象項目名】０００１
【補正方法】変更
【補正の内容】
【０００１】
【発明の属する技術分野】
この発明は、映像式パチンコ機、及び遊技プログラムに関する。
【手続補正４】
【補正対象書類名】明細書
【補正対象項目名】０００６
【補正方法】変更
【補正の内容】
【０００６】
【課題を解決するための手段】
この発明は、電気的映像部材で、映像球通過検出部と、遊技球が入球し易い状態と入球し難い状態とに開閉する映像可動片を有する始動口とを含む遊技領域を有する遊技画像を映し出し、映像遊技球を前記遊技画像に発射して遊技を進行させる制御を行う制御部を備えた映像式パチンコ機であって、前記制御部は、前記映像球通過検出部を映像遊技球が通過したことを検知する機能と、前記映像球通過検出部を映像遊技球が通過したことを検知したことを条件として、前記映像可動片を開放する機能と、前記映像球通過検出部を映像遊技球が通過したことを検知したときに、前記遊技領域内の前記映像遊技球の形状を変更して、変更後の映像遊技球の姿勢に応じて前記始動口への映像遊技球の入賞確率を変化させる機能と、を有することを特徴とする映像式パチンコ機を提供せんとするものである。
【手続補正５】
【補正対象書類名】明細書
【補正対象項目名】０００７
【補正方法】変更
【補正の内容】
【０００７】
また、前記制御部は、前記始動口に前記映像遊技球が入球した場合、前記遊技画像に複数の識別情報画像を変動表示させてその後に変動表示を停止し、複数の識別情報画像が所定の組合せで表示停止したときは遊技者にとって有利な大当たり遊技状態へ移行させる可変表示ゲームを行う機能を、さらに有することにも特徴を有する。
【手続補正６】
【補正対象書類名】明細書
【補正対象項目名】０００８
【補正方法】変更
【補正の内容】
【０００８】
また、本発明は、制御部に、電気的映像部材で、映像球通過検出部と、遊技球が入球し易い状態と入球し難い状態とに開閉する映像可動片を有する始動口とを含む遊技領域を有する遊技画像を映し出す機能と、前記映像遊技球を前記遊技画像に発射して遊技を進行させる機能と、前記映像球通過検出部を映像遊技球が通過したことを検知したことを条件として、前記映像可動片を開放するとともに、前記遊技領域内の前記映像遊技球の形状を変更して、変更後の映像遊技球の姿勢に応じて前記映像始動口への映像遊技球の入賞確率を変化させる機能と、を実現させるための遊技プログラムを提供せんとするものである。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
【発明の実施の態様】
この発明では、電気的映像部材で、映像球通過検出部と、遊技球が入球し易い状態と入球し難い状態とに開閉する映像可動片を有する始動口とを含む遊技領域を有する遊技画像を映し出し、映像遊技球を前記遊技画像に発射して遊技を進行させる制御を行う制御部を備えた映像式パチンコ機であって、前記制御部は、前記映像球通過検出部を映像遊技球が通過したことを検知する機能と、前記映像球通過検出部を映像遊技球が通過したことを検知したことを条件として、前記映像可動片を開放する機能と、前記映像球通過検出部を映像遊技球が通過したことを検知したときに、前記遊技領域内の前記映像遊技球の形状を変更して、変更後の映像遊技球の姿勢に応じて前記始動口への映像遊技球の入賞確率を変化させる機能とを有する映像式パチンコ機とすることにより、例えば、可変表示ゲームにおいて、図柄の組み合わせが所定の組み合わせとなった時を所定のタイミングとして映像遊技球の形状を変更したり、図柄がスクロールしながら変動表示される場合にスクロールの回転数が一定の回転数に達するとこの状態を所定のタイミングとして映像遊技球の形状を変更したり、リーチ状態が複数回継続して所定の継続回数に達した状態を所定のタイミングとして映像遊技球の形状を変更したり、特定の識別情報の組み合わせにより確変状態となった時に、かかる状態を所定のタイミングとして映像遊技球の形状を変更したり、特定遊技状態となった場合や、確変状態となった場合に所定の映像賞球を獲得して大当たりが終了した状態を所定のタイミングとして映像遊技球の形状を変更したりして、変更後の映像遊技球の姿勢に応じて前記始動口への映像遊技球の入賞確率を変化させるようにしたものである。
【手続補正１０】
【補正対象書類名】明細書
【補正対象項目名】００１２
【補正方法】変更
【補正の内容】
【００１２】
このように構成することにより、映像遊技球の形状が遊技中の所定のタイミングで変更されることになり、遊技者は緊張感を持って遊技を行うことができると共に、遊技者は斬新な演出に期待感を高めゲーム感覚の興味で遊技を行なうことができ、遊技者の予期しない映像遊技球の流下動向が発生して映像遊技球の動きにより注目しながら集中して遊技を行うことができ遊技者に新たな期待を持たせ更なる遊び心を高めることができるようにしたものである。
【手続補正１１】
【補正対象書類名】明細書
【補正対象項目名】００１３
【補正方法】変更
【補正の内容】
【００１３】
また、本発明では、前記制御部は、前記始動口に前記映像遊技球が入球した場合、前記遊技画像に複数の識別情報画像を変動表示させてその後に変動表示を停止し、複数の識別情報画像が所定の組合せで表示停止したときは遊技者にとって有利な大当たり遊技状態へ移行させる可変表示ゲームを行う機能を、さらに有する映像式パチンコ機とすることにより、更に興味のあるパチンコ遊技を行うことが出来るものである。
【手続補正１２】
【補正対象書類名】明細書
【補正対象項目名】００１４
【補正方法】変更
【補正の内容】
【００１４】
更には、本発明の遊技プログラムは、制御部に、電気的映像部材で、映像球通過検出部と、遊技球が入球し易い状態と入球し難い状態とに開閉する映像可動片を有する始動口とを含む遊技領域を有する遊技画像を映し出す機能と、前記映像遊技球を前記遊技画像に発射して遊技を進行させる機能と、前記映像球通過検出部を映像遊技球が通過したことを検知したことを条件として、前記映像可動片を開放するとともに、前記遊技領域内の前記映像遊技球の形状を変更して、変更後の映像遊技球の姿勢に応じて前記映像始動口への映像遊技球の入賞確率を変化させる機能と、を実現させるための遊技プログラムとしており、かかるプログラムを用いることにより、映像遊技球の形状が遊技中に変更されるので、遊技者の予期しない映像遊技球の流下動向が発生して映像遊技球の動きにより注目しながら集中して遊技を行うことができ、遊技者に新たな期待を持たせ遊技者は飽きを感じることがなくなり継続して緊張感を持って遊技を行うことができ、更なる遊び心を高めることができるものである。
【手続補正１３】
【補正対象書類名】明細書
【補正対象項目名】００５０
【補正方法】変更
【補正の内容】
【００５０】
本発明の実施例では、後述するようにかかる映像遊技球Ｂを検出するサブルーチンにおいて、映像球通過検出部５５ａ及び５５ｂを映像遊技球Ｂが通過したと判別したときには、映像遊技球Ｂの形状を変更するものである（図６のステップＳ１５′）。
【手続補正１４】
【補正対象書類名】明細書
【補正対象項目名】００８６
【補正方法】変更
【補正の内容】
【００８６】
すなわち、本実施形態では、電気的映像部材で、映像球通過検出部５５ａ及び５５ｂと、遊技球が入球し易い状態と入球し難い状態とに開閉する映像可動片５８a、５８ｂを有する映像始動口４４とを含む遊技領域１４′′を有する遊技画像１４′を映し出し、映像遊技球Ｂを前記遊技画像１４′に発射して遊技を進行させる制御を行う制御回路６０を備えた映像式パチンコ遊技装置１０であって、前記制御回路６０は、前記映像球通過検出部５５ａ及び５５ｂを映像遊技球Ｂが通過したことを検知する機能と、前記映像球通過検出部５５ａ及び５５ｂを映像遊技球Ｂが通過したことを検知したことを条件として、前記映像可動片５８a、５８ｂを開放する機能と、前記映像球通過検出部５５ａ及び５５ｂを映像遊技球Ｂが通過したことを検知したときに、前記遊技領域１４′′内の前記映像遊技球Ｂの形状を変更して、変更後の映像遊技球Ｂの姿勢に応じて前記映像始動口４４への映像遊技球Ｂの入賞確率を変化させる機能とを有する映像式パチンコ遊技装置１０とすることにより、遊技者に新たな期待を持たせ遊技者は緊張感を持って遊技を行うことができると共に、遊技者は映像遊技球Ｂの経常の変更という斬新な演出に期待感を高めゲーム感覚の興味で遊技を行なうことができ、更に形状しだいでは遊技者の予期しない映像遊技球Ｂの流下動向が発生するため映像遊技球の動きにより注目しながら集中して遊技を行うことになり、その分遊技者に新たな期待を持たせ更なる遊び心を高めることができるようにしている。
【手続補正１５】
【補正対象書類名】明細書
【補正対象項目名】００８７
【補正方法】変更
【補正の内容】
【００８７】
また、前記制御回路６０は、前記映像始動口４４に前記映像遊技球Ｂが入球した場合、前記遊技画像１４´に複数の識別情報画像を変動表示させてその後に変動表示を停止し、複数の識別情報画像が所定の組合せで表示停止したときは遊技者にとって有利な大当たり遊技状態へ移行させる可変表示ゲームを行う機能を、さらに有する映像式パチンコ遊技装置１０機を提供するものであり、また、制御回路６０に、電気的映像部材で、映像球通過検出部５５ａ及び５５ｂと、遊技球が入球し易い状態と入球し難い状態とに開閉する映像可動片５８a、５８ｂを有する映像始動口４４とを含む遊技領域１４′′を有する遊技画像１４´を映し出す機能と、前記映像遊技球Ｂを前記遊技画像１４´に発射して遊技を進行させる機能と、前記映像球通過検出部５５ａ及び５５ｂを映像遊技球Ｂが通過したことを検知したことを条件として、前記映像可動片５８a、５８ｂを開放するとともに、前記遊技領域１４′′内の前記映像遊技球Ｂの形状を変更して、変更後の映像遊技球Ｂの姿勢に応じて前記映像始動口４４への映像遊技球Ｂの入賞確率を変化させる機能と、を実現させるための遊技プログラムを提供せんとするものである。
【手続補正１６】
【補正対象書類名】明細書
【補正対象項目名】０２０６
【補正方法】変更
【補正の内容】
【０２０６】
【発明の効果】
本発明によれば、電気的映像部材で、映像球通過検出部と、遊技球が入球し易い状態と入球し難い状態とに開閉する映像可動片を有する始動口とを含む遊技領域を有する遊技画像を映し出し、映像遊技球を前記遊技画像に発射して遊技を進行させる制御を行う制御部を備えた映像式パチンコ機であって、前記制御部は、前記映像球通過検出部を映像遊技球が通過したことを検知する機能と、前記映像球通過検出部を映像遊技球が通過したことを検知したことを条件として、前記映像可動片を開放する機能と、前記映像球通過検出部を映像遊技球が通過したことを検知したときに、前記遊技領域内の前記映像遊技球の形状を変更して、変更後の映像遊技球の姿勢に応じて前記始動口への映像遊技球の入賞確率を変化させる機能と、を有することとしたので、遊技者は緊張感を持って遊技を行うことができると共に、遊技者は斬新な演出に期待感を高めゲーム感覚の興味で遊技を行なうことができ、遊技者の予期しない映像遊技球の流下動向が発生して映像遊技球の動きにより注目しながら集中して遊技を行うことができ遊技者に新たな期待を持たせ更なる遊び心を高めることができる効果があり、また映像遊技球の形状変化は映像遊技球の流下姿勢と大きく関係し、映像遊技球の形状変化の技術はこの流下姿勢の変化と合せて遊技者に更に大きな期待と興味を生起するものである。
【手続補正１７】
【補正対象書類名】明細書
【補正対象項目名】０２０７
【補正方法】削除
【補正の内容】
【手続補正１８】
【補正対象書類名】明細書
【補正対象項目名】０２０８
【補正方法】削除
【補正の内容】
【手続補正１９】
【補正対象書類名】明細書
【補正対象項目名】０２０９
【補正方法】削除
【補正の内容】